(57)【要約】【課題】キャノンタイプのコネクタを引き抜く際に、指を傷つけることなく、安全に取り外し可能なキャノンタイプのコネクタ構造を提供する。【解決手段】キャノンタイプのメス型コネクタ４に設けられたリリースボタン５にリリースボタン５の操作時に指Ｆや爪などを傷つけないようにするための保護カバー５２を取り付ける。【選択図】図３
2009188793.tif 000002
【特許請求の範囲】
【請求項１】
キャノンタイプのオス型コネクタと、同オス型コネクタの受け手側のメス型コネクタと、上記コネクタ同士を嵌合した状態で固定するロック手段とを有し、上記メス型コネクタには、上記ロック手段を解除するリリースボタンが設けられているコネクタ構造において、
上記リリースボタンには、上記リリースボタンの操作時に指や爪などを傷つけないようにするための保護カバーが取り付けられていることを特徴とするコネクタ構造。
【請求項２】
上記保護カバーは、指先を上記オス型コネクタの外筒部に沿って立設された保護壁が設けられていることを特徴とするコネクタ構造。
【請求項３】
上記オス型コネクタには、その外筒部に上記ロック手段のロック爪が係止される係止孔が設けられており、上記保護壁は、少なくとも上記係止孔の移動軌跡上に設けられていることを特徴とする請求項１または２に記載のコネクタ構造。
【請求項４】
上記保護カバーは、合成樹脂の成型品からなり、上記リリースボタンに着脱可能な断面Ｌ字状に形成されていることを特徴とする請求項１，２または３に記載のコネクタ構造。
【請求項５】
請求項１ないし４のいずれか１項に記載のコネクタ構造を備えたマイクロホン装置。
【発明の詳細な説明】
【技術分野】
【０００１】
本発明は、例えばマイクロホンと音響機器を電気的に接続する際に用いられるキャノンタイプのコネクタ構造に関し、さらに詳しく言えば、コネクタの操作時に指や爪などを傷つけないようにしたコネクタ構造に関する。
【背景技術】
【０００２】
マイクロホンをミキサーなどの音響機器に接続する方法としては、例えば特許文献１に示すようなキャノンタイプのコネクタが用いられる。このコネクタは、マイクロホンユニットから引き出されたケーブルに接続される端子ピンを備えたオス型コネクタと、オス型コネクタ子の受け手側のメス型コネクタとからなり、これらを互いに嵌合することにより電気的な導通が得られるようになっている。
【０００３】
このコネクタ構造には、オス型コネクタとメス型コネクタとが抜けないようにするためのロック手段が設けられている。通常、この種のロック手段は、メス型コネクタ側に設けられたロック爪をオス型コネクタに設けられた係止爪に係止させることで、ロックするようになっている。また、リリースボタンを押しながら、コネクタを引き抜くことで、簡単に取り外しができるようになっている。
【０００４】
【特許文献１】特開２０００−１０２０８４号公報
【発明の開示】
【発明が解決しようとする課題】
【０００５】
しかしながら、従来のキャノンタイプのコネクタ構造には、次のような問題があった。すなわち、オス型コネクタのハウジングには、ロック手段の受け手側としての係止孔や、ネジ止め孔などの孔が設けられているため、リリースボタンを押しながら、オス型コネクタを引き抜いた際、リリースボタンを押している指先が係止孔に引っ掛かり、爪を割ったりして、指を傷つけるおそれがあった。
【課題を解決するための手段】
【０００６】
そこで、本発明は上述した課題を解決するため、キャノンタイプのコネクタを引き抜く際に、指を傷つけることなく、安全に取り外し可能なキャノンタイプのコネクタ構造を提供することにある。
【０００７】
上述した目的を達成するため、本発明は以下に示すいくつかの特徴を備えている。請求項１に記載の発明は、キャノンタイプのオス型コネクタと、同オス型コネクタの受け手側のメス型コネクタと、上記コネクタ同士を嵌合した状態で固定するロック手段とを有し、上記メス型コネクタには、上記ロック手段を解除するリリースボタンが設けられているコネクタ構造において、上記リリースボタンには、上記リリースボタンの操作時に指や爪などを傷つけないようにするための保護カバーが取り付けられていることを特徴としている。
【０００８】
請求項２に記載の発明は、上記請求項１において、上記保護カバーは、指先を上記オス型コネクタの外筒部に沿って立設された保護壁が設けられていることを特徴としている。
【０００９】
請求項３に記載の発明は、上記請求項１または２において、上記オス型コネクタには、その外筒部に上記ロック手段のロック爪が係止される係止孔が設けられており、上記保護壁は、少なくとも上記係止孔の移動軌跡上に設けられていることを特徴としている。
【００１０】
請求項４に記載の発明は、上記請求項１，２または３において、上記保護カバーは、合成樹脂の成型品からなり、上記リリースボタンに着脱可能な断面Ｌ字状に形成されていることを特徴としている。
【００１１】
また、請求項５に記載したように、本発明には、これら請求項１ないし４のいずれか１項に記載されたコネクタ構造を備えたマイクロホン装置も含まれる。
【発明の効果】
【００１２】
本発明によれば、リリースボタンに指先を保護するための保護カバーを備えたことにより、指先を傷つけることなく、コネクタを安全に取り外すことができる。
【発明を実施するための最良の形態】
【００１３】
次に、本発明の実施形態について、図面を参照しながら説明するが、本発明はこの限りではない。図１は、本発明の一実施形態に係るコネクタ構造を備えたマイクロホン装置での斜視図であり、図２は、メス型コネクタの斜視図であり、図３は、コネクタ構造の要部断面図である。
【００１４】
図１に示すように、このマイクロホン装置１は、例えば会議室などに用いられる発言システムの一部に含まれるものであり、机などの上に据え置かれるマイク台座２と、同マイク台座２に着脱可能に取り付けられるマイクロホン３とを備えている。なお、この実施形態において、マイク台座２には、発言要求ボタン２ａが設けられている。
【００１５】
マイクロホン３はグースネック型であり、一部がフレキシブルシャフトによって形成された支持パイプ３１を有し、支持パイプ３１の先端にはマイクロホンユニット３２が一体的に取り付けられている。支持パイプ３１およびマイクロホンユニット３２の具体的な構成については、本発明において任意である。
【００１６】
支持パイプ３１の後端には、マイクロホンユニット３２と図示しないケーブルで接続されたオス型コネクタ３３が一体的に設けられている。図３の模式図を併せて参照して、オス型コネクタ３３は、円筒状のハウジング３４を備えている。ハウジング３４の内側には、マイクロホンユニット３２に接続された、図示しない端子ピンが設けられている。
【００１７】
ハウジング３４の一部には、メス型コネクタ４側に設けられた図示しない係止爪によって係止される係止孔３５が穿設されている。係止孔３５は、ハウジング３４の外周面に穿設されていれば、その位置や形状は特に限定されない。ハウジング３４にはさらに、図示しないコネクタユニットをハウジング３４の内周面に固定するための雄ネジが差し込まれるネジ孔３６が設けられている。
【００１８】
マイク台座２には、マイクロホン３のオス型コネクタ３３が差し込まれるメス型コネクタ４が設けられている。図２および図３に示すように、メス型コネクタ４は、マイク台座２に固定されるコネクタベース４１を有し、コネクタベース４１の中央には、オス型コネクタ３３のコネクタピンが挿入される円柱状の端子台４２が設けられている。
【００１９】
コネクタベース４１と端子台４２との間には、所定の間隔を持ってガイド溝４３が設けられており、このガイド溝４３に沿ってオス型コネクタ３３のハウジング３４が差し込まれるようになっている。
【００２０】
コネクタベース４１には、オス型コネクタ３３のハウジング３４に形成された係止孔３５に係止される固定手段としての図示しないフック部が設けられている。フック部の具体的な構成は、例えば特許文献１に記載されたような係止孔３５に係止されるロック手段であればよく、その仕様は特に限定されない。
【００２１】
コネクタベース４１にはさらに、ロック手段を解除するためのリリースボタン５が設けられている。リリースボタン５は、断面Ｌ字状を呈し、一端がコネクタベース４１内に向けて出没可能に差し込まれており、他端がほぼ直角に折り曲げられている。
【００２２】
図３に示すように、リリースボタン５には、指Ｆによって押圧される操作部５１が設けられており、この操作部５１には、指Ｆを保護するための保護カバー５２がさらに設けられている。操作部５１の下端は、コネクタベース４１内に向けてスライド可能に差し込まれており、その下端がハウジング３４の内周面に沿って配置されたロックアーム５５を持ち上げるようになっている。
【００２３】
保護カバー５２は、好ましくは合成樹脂の成型品からなり、操作部５１に沿って着脱可能に取り付けられている。保護カバー５２は、操作部５１に沿って平行な操作面５３と、操作面５３の一端からほぼ直角に折り曲げられる保護壁５４とを備えている。
【００２４】
保護壁５４は、オス型コネクタ３３のハウジング３４の外周面に沿って平行に形成されており、これにより、指Ｆの指先がハウジング３４の外周面に直接触れないようになっている。
【００２５】
保護壁５４は、指先全体を保護するため所定の幅をもって幅広に形成されているが、より好ましくは、係止孔３５やネジ孔３６の抜き差し時に、その一部が移動軌跡の上に重なるように設けられていることが好ましい。これによれば、より確実に指先を保護することができる。
【００２６】
本発明において、コネクタ構造は、会議用のマイクロホン装置１に用いられているが、例えばミキサーと音響ケーブルとを接続するためのコネクタ構造に用いてもよく、キャノンタイプのコネクタ構造であれば、その適用部位は特に限定されない。
【図面の簡単な説明】
【００２７】
【図１】本発明の一実施形態に係るマイクロホン構造を備えたマイクロホン装置の斜視図。
【図２】上記コネクタ構造のメス型コネクタの斜視図。
【図３】メス型コネクタとオス型コネクタの嵌合状態の要部断面図。
【符号の説明】
【００２８】
１  マイクロホン装置
２  マイク台座
３  マイクロホン
３３  オス型コネクタ
３４  ハウジング
３５  係止孔
３６  ネジ孔
４  メス型コネクタ
５  リリースボタン
６  保護カバー
【図１】
2009188793.tif 000003
【図２】
2009188793.tif 000004
【図３】
2009188793.tif 000005